(57)【要約】【課題】一の機器が駆動しない状態で他の機器が駆動してしまうことを確実に防止することのできるショーケースを提供する。【解決手段】単相交流の第１の電源および三相交流の第２の電源の２電源を用いて機器を駆動するショーケース１であって、第１の電源と接続して一の機器に電源入力する第１の電源線６１と、第２の電源と接続して他の機器に電源入力する第２の電源線６６と、第１の電源線６１による第１の電源の電源入力の有無を検知するリレー回路７０と、リレー回路７０の検知結果に基づいて機器の駆動を制御する制御マイコン５３と、を備え、制御マイコン５３は、リレー回路７０による第１の電源の電源入力が無い場合に、第２の電源線６６の電源入力があった場合には、他の機器の駆動を待機する。【選択図】図５
2017110882.tif 000002
【特許請求の範囲】
【請求項１】
単相交流の第１の電源および三相交流の第２の電源の２電源を用いて機器を駆動するショーケースであって、
前記第１の電源と接続して一の機器に電源入力する第１入力手段と、
前記第２の電源と接続して他の機器に電源入力する第２入力手段と、
前記第１入力手段による前記第１の電源の電源入力の有無を検知する検知手段と、
前記検知手段の検知結果に基づいて機器の駆動を制御する制御手段と、を備え、
前記制御手段は、前記検知手段による前記第１の電源の電源入力が無い場合に、前記第２入力手段の電源入力があった場合には、他の機器の駆動を待機することを特徴とするショーケース。
【請求項２】
表示手段をさらに備え、
前記制御手段は、前記検知手段による前記第１入力手段の電源入力が無い場合に前記第２入力手段の電源入力があった場合には、前記表示手段にエラー表示を行うことを特徴とする請求項１に記載のショーケース。
【請求項３】
前記制御手段は、前記エラー表示の後に前記第１入力手段の電源入力があった場合には、前記他の機器の駆動の待機を解除することを特徴とする請求項２に記載のショーケース。
【請求項４】
前記検知手段は、前記第１入力手段による電源入力により、前記制御手段に前記第１の電源の入力検知信号を送るリレー回路であることを特徴とする請求項１から請求項３のいずれか一項に記載のショーケース。
【請求項５】
前記第１の電源によって駆動される一の機器は、少なくとも送風ファン用モータであり、前記第２の電源によって駆動される他の機器は、少なくとも圧縮機用モータおよび凝縮器ファン用モータであることを特徴とする請求項１から請求項４のいずれか一項に記載のショーケース。
【発明の詳細な説明】
【技術分野】
【０００１】
本発明は、ショーケースに係り、特に、２電源を用いて駆動させるショーケースに関する。
【背景技術】
【０００２】
従来、例えばコンビニエンスストアやスーパーマーケット等に設置されるショーケースが多く用いられている。
このようなショーケースにおいては、圧縮機やファンなどの各種機器を駆動するための電源が接続されるようになっている。
この種のショーケースでは、従来、例えば、圧縮機、凝縮器用ファンについては、三相交流２００Ｖ電源を用い、庫内照明、送風ファン（冷気循環用ファン）、ヒータなどについては、単相交流１００Ｖの電源を用いる２電源方式が採用されていた（例えば、特許文献１参照）。
【先行技術文献】
【特許文献】
【０００３】
【特許文献１】実公平０４−０５２６２４号公報
【発明の概要】
【発明が解決しようとする課題】
【０００４】
しかしながら、このように２電源を用いて駆動を行う場合に、単相交流１００Ｖの電源が接続されていない状態で、三相交流２００Ｖで駆動される圧縮機モータや凝縮器用ファンモータを駆動してしまうと、単相交流１００Ｖで駆動される送風ファンが駆動しない状態で、他の機器が動作してしまうことになる。
このように一の機器である送風ファンが駆動しない状態で、他の機器が駆動してしまうと、圧縮機の負荷が大きくなってしまい、場合によっては圧縮機の破損を招くおそれがあるという問題を有している。
本発明は、前記した事情に鑑みてなされたものであり、一の機器が駆動しない状態で他の機器が駆動してしまうことを確実に防止することのできるショーケースを提供することを目的とする。
【課題を解決するための手段】
【０００５】
前記目的を達成するために、本発明は、単相交流の第１の電源および三相交流の第２の電源の２電源を用いて機器を駆動するショーケースであって、前記第１の電源と接続して一の機器に電源入力する第１入力手段と、前記第２の電源と接続して他の機器に電源入力する第２入力手段と、前記第１入力手段による前記第１の電源の電源入力の有無を検知する検知手段と、前記検知手段の検知結果に基づいて機器の駆動を制御する制御手段と、を備え、前記制御手段は、前記検知手段による前記第１の電源の電源入力が無い場合に、前記第２入力手段の電源入力があった場合には、他の機器の駆動を待機することを特徴とする。
【０００６】
また、前記構成において、表示手段をさらに備え、前記制御手段は、前記検知手段による前記第１入力手段の電源入力が無い場合に前記第２入力手段の電源入力があった場合には、前記表示手段にエラー表示を行うことを特徴とする。
【０００７】
また、前記構成において、前記制御手段は、前記エラー表示の後に前記第１入力手段の電源入力があった場合には、前記他の機器の駆動の待機を解除することを特徴とする。
【０００８】
また、前記構成において、前記検知手段は、前記第１入力手段による電源入力により、前記制御手段に前記第１の電源の入力検知信号を送るリレー回路であることを特徴とする。
【０００９】
また、前記構成において、前記第１の電源によって駆動される一の機器は、少なくとも送風ファン用モータであり、前記第２の電源によって駆動される他の機器は、少なくとも圧縮機用モータおよび凝縮器ファン用モータであることを特徴とする。
【発明の効果】
【００１０】
本発明によれば、制御手段により、検知手段による第１の電源の電源入力が無い場合に、第２入力手段の電源入力があった場合には、他の機器の駆動を待機するように制御するので、送風ファンが駆動できない状態で、圧縮機用モータや凝縮器用ファンモータを駆動してしまうことを確実に防止することができる。その結果、圧縮機に対する負荷を低減させ、圧縮機の破損を確実に防止することができる。
【図面の簡単な説明】
【００１１】
【図１】本発明に係るショーケースの実施形態を示す斜視図である。
【図２】ショーケースの棚を外した状態を示す斜視図である。
【図３】ショーケースの棚を外した状態を示す縦断側面図である。
【図４】ショーケースの機械室を示す平面図である。
【図５】は本実施形態の電子回路構成を示す回路図である。
【発明を実施するための形態】
【００１２】
以下、図面を参照して本発明の実施形態について説明する。
図１は、本発明に係るショーケースの実施形態を示す斜視図である。図２は、ショーケースの棚を外した状態を示す斜視図である。図３は、ショーケースの棚を外した状態を示す縦断側面図である。図４は、ショーケースの機械室を示す平面図である。
【００１３】
図１から図３に示すように、ショーケース１は、本体ケース１０を備えている。本体ケース１０の下方には、機械室１１が設けられている。
本体ケース１０は、前面が開口する断面形状略コ字状の断熱壁１２を備えている。この断熱壁１２の両側面には、側面パネル１３がそれぞれ取付けられている。断熱壁１２の内側には、断熱壁１２と所定の間隔を有する天井パネル１４、背面パネル１５および底面パネル１６がそれぞれ取り付けられている。
側面パネル１３、天井パネル１４、背面パネル１５および底面パネル１６の内側には、陳列室２０が形成されており、この陳列室２０の前面には、開口部２１が形成されている。
【００１４】
また、底面パネル１６と断熱壁１２との間隔には、下部ダクト２２が形成されており、背面パネル１５と断熱壁１２との間隔には、下部ダクト２２に連通する背面ダクト２３が形成されている。天井パネル１４と断熱壁１２との間隔には、背面ダクト２３に連通する天井ダクト２４が形成されている。そして、下部ダクト２２、背面ダクト２３および天井ダクト２４は、陳列室２０を囲み冷気を循環案内する冷気通路を構成している。
【００１５】
陳列室２０には、背部の支柱２５に着脱自在に取り付けられる一対のブラケット（図示せず）およびこれらに保持される棚板２６が複数段架設されている。底面パネル１６上には、デッキパン２７が取り付けられており、これら各棚板２６およびデッキパン２７の上面に商品が陳列される。
棚板２６は、着脱自在に、かつ、高さ位置を可変自在に架設されており、棚板２６およびデッキパン２７は前方に引き出し自在とされている。棚板２６やデッキパン２７上に商品を補充する際には、開口部２１より前方に引き出して作業を行うことができるように構成されている。
陳列室２０の上部前方には、例えば、ＬＥＤなどからなる庫内照明２８が取り付けられている。
【００１６】
開口部２１の上縁には、天井ダクト２４に連通する冷気吐出口３０が形成されており、開口部２１の下縁には、下部ダクト２２に連通する冷気吸込口３１が形成されている。
背面ダクト２３の内部下方には、冷却装置の冷凍サイクルを構成する蒸発器４０が設置されている。この蒸発器４０は、背面ダクト２３の左右方向に長く形成されており、正面視で略矩形に形成されている。
蒸発器４０に発生する結露水は、図１および図２に示すように、背面ダクト２３から下部ダクト２２に流れ、下部ダクト２２から機械室１１に流れ落ちるようになっている。
【００１７】
蒸発器４０の上部近傍には、背面ダクト２３を仕切る仕切カバー４１が配置されており、仕切カバー４１には、蒸発器４０の平面形状とほぼ同様の略矩形状の通気孔（図示せず）が形成されている。
仕切カバー４１の上側には、この通気孔を塞ぐようにしてファンユニット４２が取付けられている。
【００１８】
ファンユニット４２は、仕切カバー４１に取り付けられるユニット本体４３を備えており、ユニット本体４３には、本実施形態においては、７つの送風ファン４４が並べて配置されている。送風ファン４４は、本実施形態では軸流ファンで構成されている。
ファンユニット４２および送風ファン４４は、蒸発器４０から放出される冷気が循環する冷気通路のうち、蒸発器４０の上方近傍、すなわち、冷気流路を流れる冷気の下流側に配置されている。そして、ファンユニット４２と蒸発器４０との距離が近いため、送風ファン４４により蒸発器４０から発生する冷気を効率よく循環させることが可能となる。
【００１９】
図３は本実施形態の機械室１１を示す平面図である。
図３に示すように、機械室１１の内部一端には、冷媒を圧縮する圧縮機４５が設置されており、機械室１１の内部一側には、圧縮機４５から送られる冷媒を凝縮する凝縮器４６が配置されている。凝縮器４６の近傍には、２つの凝縮器用ファン４７，４７が設置されており、圧縮機４５と凝縮器４６とは冷媒配管４８を介して接続されている。
また、機械室１１の他側には、蒸発器４０に冷媒を送るための冷媒配管４９が設けられている。また、図示しないが、凝縮器４６から送られる冷媒を減圧して蒸発器４０に送るための電動膨張弁が設置されている。
【００２０】
次に、本実施形態の電子回路構成について説明する。
図５は本実施形態の電子回路構成を示す回路図である。
図５に示すように、この電子回路基板５０は、ショーケース１の機械室１１に収容された電装箱５１に設けられている。電子回路基板５０は、インバータ基板５２を備えており、インバータ基板５２には、制御マイコン５３が搭載されている。
制御マイコン５３には、図示しないがＣＰＵ、ＲＯＭやＲＡＭなどのメモリが搭載されており、ＣＰＵは、メモリにあらかじめ記憶されている制御プログラムを読み込んで実行することで、各部の制御を統括的に行うように構成されている。
【００２１】
制御マイコン５３には、ショーケース１の電子膨張弁の開度を調節する電子膨張弁用モータ５４（ＥＶ）、凝縮器用ファン４７を駆動するための凝縮器ファン用モータ５５（ＦＭ１）、表示基板５６がそれぞれ接続されている。制御マイコン５３は、電子膨張弁用モータ５４、凝縮器ファン用モータ５５をそれぞれ制御するとともに、表示基板５６に所望の表示を行うように構成されている。
また、インバータ基板５２には、インバータマイコン５７が搭載されている。インバータマイコン５７には、圧縮機４５を駆動するための圧縮機用モータ５８（ＣＭ）が接続されている。インバータマイコン５７は、制御マイコン５３から送られる信号に基づいて、圧縮機用モータ５８の回転数を適宜制御するように構成されている。
【００２２】
電子回路基板５０は、第１の電源としての単相交流１００Ｖの電源に接続される電源コンセント６０の第１の電源線６１が接続されている。第１の電源線６１は、電子回路基板５０に搭載された一体型電源基板６２に接続されている。電源コンセント６０および第１の電源線６１により、本発明の第１入力手段が構成される。
また、一体型電源基板６２には、第１の電源で駆動される送風ファン用モータ６３（ＦＭ２）および庫内照明２８が接続されている。
【００２３】
また、電子回路基板５０は、フィルタ基板６４を備えている。そして、フィルタ基板６４には、第２の電源としての三相交流２００Ｖの電源に接続される電源コンセント６５の第２の電源線６６が接続されている。第２の電源線６６は、フィルタ基板６４を介してフィルタ処理された後、インバータ基板５２に接続されている。電源コンセント６５および第２の電源線６６により、本発明の第２入力手段が構成される。
【００２４】
また、一体型電源基板６２に接続される第１の電源線６１には、検知手段としてのリレー回路７０が並列に接続されている。リレー回路７０は、第１の電源線６１に電流が流れると励磁されるコイル７１と、コイル７１の励磁によりＯＮとなるスイッチ７２とから構成されている。リレー回路７０のスイッチ７２には、制御マイコン５３からの第１の電源の入力検知信号線７３が接続されている。
すなわち、第１の電源の第１の電源線６１に電流が流れると、リレー回路７０のスイッチ７２がＯＮとなり、これにより、制御マイコン５３に入力検知信号線７３を介して第１の電源の入力検知信号が入力され、制御マイコン５３は、第１の電源線６１により第１の電源が入力されたことを認識することができるように構成されている。
【００２５】
また、電子回路基板５０は、第２リレー回路７４を備えている。第２リレー回路７４は、電流が流れると励磁されるコイル７５と、コイル７５の励磁によりＯＮとなるスイッチ７６とから構成されている。
コイル７５には、制御マイコン５３からのファン制御信号線７７が接続されており、スイッチ７６には、一体型電源基板６２と送風ファン用モータ６３とを接続する第１の電源線６１が接続されている。制御マイコン５３からファン制御信号線７７を介して送風ファン用モータ６３の駆動制御信号が送られると、コイル７５の励磁が行われるように構成されている。そして、コイル７５の励磁によりスイッチ７６がＯＮになると、送風ファン用モータ６３の駆動が行われるように構成されている。
また、一体型電源基板６２には、制御マイコン５３からの照明制御信号線７８が接続されており、制御マイコン５３から一体型電源基板６２に照明制御信号線７８を介して照明制御信号が送られることで、庫内照明２８の点灯または消灯が行われるように構成されている。
さらに、インバータ基板５２には、天井ダクト２４に設置されるダクトヒータ７９が接続されており、ダクトヒータ７９は、ヒータ用スイッチ８０をＯＮ・ＯＦＦ動作させることで、通電または通電停止が行われるように構成されている。
【００２６】
本実施形態においては、圧縮機用モータ５８、電子膨張弁用モータ５４、凝縮器ファン用モータ５５、表示基板５６およびダクトヒータ７９が、第２の電源である三相交流２００Ｖで駆動される本発明にいう他の機器に相当し、送風ファン用モータ６３および庫内照明２８が、第１の電源である単相交流１００Ｖで駆動される本発明にいう一の機器に相当する。
そして、送風ファン用モータ６３は、第１の電源である単相交流１００Ｖによって駆動されるが、その制御は、第２の電源である三相交流２００Ｖで駆動される制御マイコン５３によって行われる。
【００２７】
前述のように、第１の電源が接続されて、リレー回路７０のコイル７１に電流が流れて、スイッチ７２がＯＮになり、制御マイコン５３は、第１の電源が入力されたことを認識するものであるが、本実施形態においては、制御マイコン５３は、第１の電源が入力されていることを認識していない場合に、第２の電源が入力された場合には、制御マイコン５３は、ショーケース１の各機器である圧縮機用モータ５８、凝縮器ファン用モータ５５、電子膨張弁用モータ５４の駆動を行わず、第１の電源が接続されたことを認識するまで、待機するように制御する。
また、制御マイコン５３は、第１の電源が入力されていない状態で、第２の電源が入力された場合には、表示基板５６に第１の電源が入力されていない状態である旨のエラー表示を行うように制御する。
さらに、制御マイコン５３は、表示基板５６にエラー表示を行った後に、第１の電源が接続されたことを認識した場合には、機器の駆動待機を解除するように構成されている。
【００２８】
次に、本実施の形態の作用について説明する。
本実施形態においては、第１の電源が接続されて、リレー回路７０のコイル７１に電流が流れてスイッチ７２がＯＮになり、制御マイコン５３が第１の電源が入力されたことを認識した場合において、第２の電源が入力された場合には、制御マイコン５３は、所定の制御プログラムに基づいて、圧縮機用モータ５８、凝縮器ファン用モータ５５、電動膨張弁用モータに通電し、圧縮機４５、凝縮器用ファン４７、電動膨張弁をそれぞれ駆動制御する。
同時に、制御マイコン５３は、第２リレー回路７４のコイル７５に通電することで、第２リレー回路７４のスイッチ７６をＯＮにして、送風ファン用モータ６３に通電して、送風ファン４４を駆動制御する。
【００２９】
一方、制御マイコン５３が、第１の電源が入力されていることを認識していない場合に、第２の電源が入力された場合には、制御マイコン５３は、ショーケース１の各機器である圧縮機４５、凝縮器ファン用モータ５５、電子膨張弁の駆動を行わず、第１の電源が入力されたことを認識するまで、待機するように制御する。
このように制御することで、送風ファン４４が駆動できない状態で、圧縮機用モータ５８や凝縮器ファン用モータ５５を駆動してしまうことを確実に防止することができる。
【００３０】
そして、制御マイコン５３は、第１の電源が入力されていない状態で、第２の電源が入力された場合には、表示基板５６に第１の電源が入力されていない状態である旨のエラー表示を行うように制御する。
制御マイコン５３は、表示基板５６にエラー表示を行った後に、第１の電源が入力されてリレー回路７０を介して制御マイコン５３に第１の電源入力信号が送られ、制御マイコン５３が第１の電源が入力されたことを認識した場合には、機器の駆動待機を解除する。
これにより、制御マイコン５３は、所定の制御プログラムに基づいて、圧縮機用モータ５８、凝縮器ファン用モータ５５、電動膨張弁用モータおよび送風ファン用モータ６３に通電して、圧縮機４５、凝縮器用ファン４７、電動膨張弁、送風ファン４４をそれぞれ駆動制御するものである。
【００３１】
以上説明したように、本実施形態によれば、第１の電源と接続して一の機器に電源入力する第１の電源線６１（第１入力手段）と、第２の電源と接続して他の機器に電源入力する第２の電源線６６（第２入力手段）と、第１の電源線６１による第１の電源の電源入力の有無を検知するリレー回路７０（検知手段）と、リレー回路７０の検知結果に基づいて機器の駆動を制御する制御マイコン５３（制御手段）と、を備え、制御マイコン５３は、リレー回路７０による第１の電源の電源入力が無い場合に、第２の電源線６６の電源入力があった場合には、他の機器の駆動を待機する。
この構成によれば、制御マイコン５３により、リレー回路７０による第１の電源の電源入力が無い場合に、第２の電源線６６の電源入力があった場合には、他の機器の駆動を待機するように制御するので、送風ファン４４が駆動できない状態で、圧縮機用モータ５８や凝縮器ファン用モータ５５を駆動してしまうことを確実に防止することができる。その結果、圧縮機４５に対する負荷を低減させ、圧縮機４５の破損を確実に防止することができる。
【００３２】
本実施形態によれば、表示基板５６（表示手段）をさらに備え、制御マイコン５３は、リレー回路７０による第１の電源線６１の電源入力が無い場合に第２の電源線６６の電源入力があった場合には、表示基板５６にエラー表示を行う。
この構成によれば、第１の電源線６１の電源入力が無い場合に第２の電源線６６の電源入力があった場合には、表示基板５６にエラー表示を行うようにしているので、表示基板５６により、第１の電源線６１の電源入力がないことを外部に報知することができる。
【００３３】
本実施形態によれば、制御マイコン５３は、エラー表示の後に第１の電源線６１の電源入力があった場合には、他の機器の駆動の待機を解除する。
この構成によれば、制御マイコン５３により、エラー表示の後に第１の電源線６１の電源入力があった場合には、他の機器の駆動の待機を解除するようにしているので、第１の電源および第２の電源による各機器の駆動を適正に行うことができる。
【００３４】
本実施形態によれば、リレー回路７０は、第１の電源線６１による電源入力により、制御マイコン５３に第１の電源線６１の入力検知信号を送る。
この構成によれば、リレー回路７０により、第１の電源線６１による電源入力により、制御マイコン５３に第１の電源線６１の入力検知信号を送ることで、制御マイコン５３は、第１の電源による電源入力の有無を検知することができる。
【００３５】
本実施形態によれば、第１の電源によって駆動される一の機器は、少なくとも送風ファン用モータ６３であり、第２の電源によって駆動される他の機器は、少なくとも圧縮機用モータ５８および凝縮器ファン用モータ５５である。
この構成によれば、第１の電源により送風ファン用モータ６３を駆動することができ、第２の電源により圧縮機用モータ５８および凝縮器ファン用モータ５５を駆動することができる。
【００３６】
なお、実施形態に基づいて本発明を説明したが、本発明は本実施形態に限定されるものではない。あくまでも本発明の一実施の態様を例示するものであるから、本発明の趣旨を逸脱しない範囲で任意に変更が可能である。
例えば、前記実施形態においては、第１の電源が接続されたことを認識する検知手段として、リレー回路７０を用いた例を示したが、第１の電源線６１を流れる電流や電圧を検知する電流センサまたは電圧センサを設け、これらのセンサにより第１の電源が接続されたことを認識するようにしてもよい。
【符号の説明】
【００３７】
１  ショーケース
１０  本体ケース
１１  機械室
１２  断熱壁
２０  陳列室
２８  庫内照明
４０  蒸発器
４２  ファンユニット
４４  送風ファン
４５  圧縮機
４６  凝縮器
４７  凝縮器用ファン
５０  電子回路基板
５１  電装箱
５２  インバータ基板
５３  制御マイコン
５４  電子膨張弁用モータ
５５  凝縮器ファン用モータ
５６  表示基板
５７  インバータマイコン
５８  圧縮機用モータ
６１  第１の電源線
６２  一体型電源基板
６３  送風ファン用モータ
６４  フィルタ基板
６６  第２の電源線
７０  リレー回路
７３  入力検知信号線
７４  第２リレー回路
７７  ファン制御信号線
７８  照明制御信号線
７９  ダクトヒータ
【図１】
2017110882.tif 000003
【図２】
2017110882.tif 000004
【図３】
2017110882.tif 000005
【図４】
2017110882.tif 000006
【図５】
2017110882.tif 000007